(57)【要約】【課題】玄関子機を壁面にがたつくことなく容易に取り付けることができ、而も取付金具の加工がし易くなるようにする。【解決手段】玄関に設置され、来訪者が呼び出しをおこない居住者と通話をするための玄関子機を玄関壁面に取り付けるための取付金具１を、壁面に向かって手前に玄関子機と面接触する玄関子機接触面１１、壁面に金具厚で線接触する壁面接触端面１２をそれぞれ有するように金属板をプレス加工して形成する。また、取付ボックスに取り付けるためのボックス取付面１３を玄関子機接触面１１と一体的に、かつ玄関子機接触面１１から離間して平行に延設し、ボックス取付面と壁面接触端面１２とを同一面とする。【選択図】図２
2006238079.tif 000002
【特許請求の範囲】
【請求項１】
玄関に設置され、来訪者が呼び出しを行い居住者と通話をするための玄関子機（２）を玄関壁面に取り付けるための取付金具（１）の構造であって、
前記取付金具は、壁面に向かって手前に前記玄関子機と面接触する玄関子機接触面（１１）、壁面に金具厚で線接触する壁面接触端面（１２）をそれぞれ有するように金属板をプレス加工して形成したものであることを特徴とする玄関子機の取付金具構造。
【請求項２】
前記取付金具は、取付ボックスに取り付けるためのボックス取付面（１３）を前記玄関子機接触面と一体的に、かつ前記玄関子機接触面から離間して平行に延設し、前記ボックス取付面と前記壁面接触端面とを同一面とすることを特徴とする請求項１記載の玄関子機の取付金具構造。
【請求項３】
前記取付金具は、前記玄関子機の取り付け時における変形を防止するための変形防止リブ（１４）を前記玄関子機接触面と一体的に、かつ前記玄関子機接触面から垂直に延設し、前記変形防止リブと前記壁面接触端面とを同一面とすることを特徴とする請求項１または請求項２記載の玄関子機の取付金具構造。
【発明の詳細な説明】
【技術分野】
【０００１】
本発明は玄関子機の取付金具構造に係り、特に、玄関子機を壁面にがたつくことなく容易に取り付けることができ、而も取付金具の加工がし易い玄関子機の取付金具構造に関する。
【背景技術】
【０００２】
従来から、玄関子機、電話器、インターホン等を含む各種電子機器の筐体を壁面に取り付ける電子機器取付け構造が知られている（例えば、特許文献１参照。）。
【０００３】
この電子機器取付け構造は、電子機器を掛け止めする取付金具と、取付金具を固定するために壁に設置される埋め込みボックス（取付ボックス）とを設けている。この取付金具は、壁面に取り付ける取付面に開孔および開孔の周縁に設けられ取付金具を埋め込みボックスに固定するためのビス穴を有し、電子機器の筐体を掛け止めするための機器掛け止め部は取付面から立ち上がる一対の側面の先端部に設けられている。
【０００４】
また、このような構成の取付金具で電子機器を壁面に固定できるような取付金具も知られている。この取付金具は図３に示すように、壁面に取り付けるための取付面５１と、取付面５１に穿孔され電子機器の配線を通すための開孔５２と、開孔５２の周縁に設けられ取付金具５０を埋め込みボックスに固定するためのビス穴５３と、電子機器を固定するために取付面５１から立ち上がる一対の側面５４と、取付面５１から電子機器側に向かって隆起され電子機器をビス止めするビス止め面５５とから構成されている。
【０００５】
【特許文献１】実公平７−４１１８３号公報
【発明の開示】
【発明が解決しようとする課題】
【０００６】
しかしながら、背景技術において示した取付金具では、電子機器と接触させる一対の側面の部位が端面状となっていることから電子機器と接触する面積が非常に狭くなるので、一対の側面に接触させる面に凹部が形成された電子機器ではビス止めしてもがたつく虞があった。また、この取付金具では、壁面に接触させる取付面は平面状となっていることから壁面に接触する面積が広くなるので、ざらつきのある壁面ではがたつく虞があった。さらに、電子機器を側面側に固定できるような取付金具の場合には、ビス止め面を隆起させなければならないので、加工がしにくく製造コストを上げる一因となっていた。
【０００７】
本発明は、このような従来の難点を解決するためになされたもので、玄関子機を壁面にがたつくことなく容易に取り付けることができ、而も取付金具の加工がし易くなる玄関子機の取付金具構造を提供することを目的とする。
【課題を解決するための手段】
【０００８】
本発明の電子機器の取付金具構造は、玄関に設置され、来訪者が呼び出しを行い居住者と通話をするための玄関子機を玄関壁面に取り付けるための取付金具の構造についてである。
【０００９】
本発明の第１の態様である取付金具は、壁面に向かって手前に玄関子機と面接触する玄関子機接触面、壁面に金具厚で線接触する壁面接触端面をそれぞれ有するように金属板をプレス加工して形成したものである。
【００１０】
このように構成された玄関子機の取付金具構造によれば、玄関子機に接触させる取付金具の玄関子機接触面が面接触になるので、玄関子機と接触する面積を広くすることができ、また、壁面に接触させる取付金具の壁面接触端面が線接触になるので、壁面と接触する面積を狭くすることができる。したがって、玄関子機を壁面に対して、がたつきのない取り付けを行なうことができるようになる。
また、第１の態様である取付金具は、取付ボックスに取り付けるためのボックス取付面を玄関子機接触面と一体的に、かつ玄関子機接触面から離間して平行に延設し、ボックス取付面と壁面接触端面とを同一面とするものである。
【００１１】
このように構成された玄関子機の取付金具構造によれば、ボックス取付面は金属板をプレス加工のみで簡単な形状に形成させているだけなので、加工がし易くなる。
【００１２】
さらに、第１の態様である取付金具は、玄関子機の取り付け時における変形を防止するための変形防止リブを玄関子機接触面と一体的に、かつ玄関子機接触面から垂直に延設し、変形防止リブと壁面接触端面とを同一面とするものである。
【００１３】
このように構成された玄関子機の取付金具構造によれば、玄関子機の取り付けの際、変形防止リブにより取付金具の変形を防止することができ、また、変形防止リブを玄関子機接触面から垂直に延設させているだけなので、加工がし易くなる。
【発明の効果】
【００１４】
本発明の玄関子機の取付金具構造によれば、玄関子機を壁面にがたつくことなく容易に取り付けることができ、而も取付金具の加工がし易くなる。
【発明を実施するための最良の形態】
【００１５】
以下、本発明の玄関子機の取付金具構造における好ましい実施の形態例について、図面を参照して説明する。
【００１６】
本発明の好ましい実施の形態例である取付金具構造が適用される玄関子機は、玄関に設置され、来訪者が呼び出しを行い居住者と通話をするためのもので、取付金具によって玄関壁面に取り付けられる。図１に示すように玄関子機２は、玄関子機本体２ａと化粧パネル２ｂから構成されており、取付金具１を壁面に固定した後、玄関子機本体２ａを取付金具１にねじ止めして、その上から化粧パネル２ｂをかぶせて設置される。
【００１７】
このような取付金具は図２（ａ）、（ｂ）に示すように、金属板を断面が略コの字形で平面１０が略矩形状になるようにプレス加工して形成されている。この取付金具１の平面１０には、玄関子機２と壁面に埋め込まれる取付ボックス（図示せず）内の配線を接続するために開孔１６が設けられている。
【００１８】
また、取付金具１は、壁面に向かって手前に玄関子機２の玄関子機本体２ａと面接触する玄関子機接触面１１、壁面に金具厚で線接触する壁面接触端面１２をそれぞれ有するように金属板をプレス加工して形成されている。玄関子機接触面１１は、平面１０の開孔１６を除く部分が該当し、壁面接触端面１２は、平面１０の図中左右となる一対の対辺からそれぞれ実質的に垂直方向に向かって延設されている各壁面１７の端面が該当する。玄関子機接触面１１には、玄関子機２の玄関子機本体２ａをねじ止めするためのねじ穴１５が所定箇所に設けられている。ここで、延設とは、一方向に延びるように設けることをいう。このような玄関子機接触面１１及び壁面接触端面１２を取付金具１に設けることにより、玄関子機２の玄関子機本体２ａに対して玄関子機接触面１１を面接触できるので、玄関子機本体２ａと接触する面積を広くすることができ、また、壁面に対して壁面接触端面１２を線接触できるので、壁面と接触する面積を狭くすることができる。したがって、玄関子機２は壁面に対して、がたつきのない取り付けを行なうことができるようになる。
【００１９】
さらに、取付金具１は、取付ボックスに取り付けためのボックス取付面１３、玄関子機２の取り付け時における変形を防止するための変形防止リブ１４をそれぞれ有するように金属板をプレス加工して形成されている。ボックス取付面１３は、平面１０の開孔１６内における図中上下方向にそれぞれ設けられ、玄関子機接触面１１と一体的に、かつ玄関子機接触面１１から離間して当該玄関子機接触面１１に対して平行に延設され、壁面接触端面１２と同一面、即ち、ボックス取付面１３と壁面接触端面１２の各接触部位は平面１０からの高さが等しくなっている。このようなボックス取付面１３は金属板を簡単な形状に形成させているだけなので、加工がし易くなる。また、変形防止リブ１４は、平面１０の開孔１６内における図中各ボックス取付面１３の両側に設けられ、玄関子機接触面１１と一体的に、かつ玄関子機接触面１１から垂直に延設し、壁面接触端面１２と同一面、即ち、変形防止リブ１４と壁面接触端面１２の各接触部位は平面１０からの高さが等しくなっている。なお、変形防止リブ１４は金属板を玄関子機接触面１１から垂直に延設しているだけなので、壁面に金具厚で線接触することになる。このような変形防止リブ１４は玄関子機２の取り付けの際、取付金具１の変形を防止することができ、また、玄関子機接触面１１から垂直に延設させているだけなので、加工がし易くなる。
【００２０】
このような玄関子機の取付金具構造において、取付金具１によって玄関子機２を玄関壁面に取り付けるには、まず、玄関壁面に予め埋め込まれている取付ボックスの所定位置に取付金具１の取付ボックス取付面１３を当接させ、ねじ止めする。この際、取付金具１の壁面接触端面１２が壁面と接触するが線接触なので、例え壁面にざらつきがあってもがたつくことはなく、安定した取り付けを行なうことができる。
【００２１】
次に、玄関子機本体２ａを取付金具１の玄関子機接触面１１に当接させ、ねじ穴１５を用いてねじ止めする。この際、取付金具１の玄関子機接触面１１は玄関子機本体２ａと接触するが面接触なので、例え、玄関子機本体２ａの接触面に凹部が形成されていてもがたつくことはなく、安定した取り付けを行なうことができる。また、このねじ止めにより取付金具１は玄関子機取付側から壁面取付側に向かって加圧されるが、変形防止リブ１４は剛性が高いので、取付金具１が変形することはない。
【００２２】
玄関子機本体２ａを取付金具１に固定後、その上から化粧パネル２ｂをかぶせて玄関子機２の玄関壁面への取り付けが終了する。なお、玄関子機本体２ａに化粧パネル２ｂをかぶせてから取付金具１に固定してもよい。また、化粧パネル２ｂの内側凹部の深さを、玄関子機本体２ａの厚み方向の高さと取付金具１の壁面１７の高さの合計値とすれば、取付金具１は化粧パネル２ｂに覆い隠すことができるので、美観的にも有効である。
【００２３】
なお、上述した実施の形態例によれば、取付金具１のボックス取付面１３は、平面１０の開孔１６内における図中上下方向にそれぞれ設けられていたが、これに限らず、取付ボックスの構造により配置位置は異なっていてもよく、また、設置数は２箇所に限定されない。
【００２４】
また、上述した実施の形態例によれば、取付金具１の変形防止リブ１４は、各ボックス取付面１３の両側に設けられていたが、これに限らず、取付金具１の変形を防止することができれば配置位置は異なっていてもよく、また、設置数は４箇所に限定されない。
【図面の簡単な説明】
【００２５】
【図１】本発明の玄関子機の取付金具構造における好ましい実施の形態例を示す全体斜視図である。
【図２】本発明の玄関子機の取付金具構造の主要部である取付金具の斜視図で、（ａ）は玄関子機を取り付ける側から見た図、（ｂ）は壁面に取り付ける側から見た図である。
【図３】従来の取付金具の構造を示す説明図で、（ａ）は平面図、（ｂ）は（ａ）の側面図、（ｃ）は（ａ）のＡ−Ａ断面図、（ｄ）は（ａ）の上面図である。
【符号の説明】
【００２６】
１……取付金具
１１……玄関子機接触面
１２……壁面接触端面
１３……ボックス取付面
１４……変形防止リブ
２……玄関子機
【図１】
2006238079.tif 000003
【図２】
2006238079.tif 000004
【図３】
2006238079.tif 000005